(57)【特許請求の範囲】
【請求項１】
密閉容器内に一定量の液体と該液体より比重の小さな浮き部材を配設して密閉封止することにより少量の気泡を形成し、該浮き部材を前記密閉容器の略中間部に保持する仕切部を前記浮き部材が水平時に中央に保持されるように設けるとともに、前記浮き部材の移動を検知する検出手段を配設し、前記仕切部に前記気泡の通過孔を設けて前記浮き部材と前記気泡を分離したことを特徴とする傾斜スイッチ。
【請求項２】
前記密閉容器の上部を透明または半透明部材にて形成し、しかも前記密閉容器内上面部に基準マークを表示し、該基準マークと前記気泡とから成る水準器を併設したことを特徴とする請求項１記載の傾斜スイッチ。
【請求項３】
前記仕切部を網状部材により形成したことを特徴とする請求項１及び請求項２記載の傾斜スイッチ。
【発明の詳細な説明】
【０００１】
【発明の属する技術分野】
本発明は、機器の転倒を検知して電力を遮断するために設けられる傾斜スイッチに関する。
【０００２】
【従来の技術】
従来、球体の転がりを利用した傾斜スイッチは球体面からの反射や球体による光路の遮蔽を利用して発光体からの光を受光素子で検出する光学式のものがある。
また、水準器としては密閉容器内に封止した気泡の位置を確認するものや、鎖に重りを垂下したもの等がある。
【０００３】
【発明が解決しようとする課題】
従来、球体転がりを利用した傾斜スイッチは球体が跳ね上がり易く、僅かな振動や衝撃等で誤信号を発生することがあり、補正回路を別に設ける必要があるため水平状態で安定した特性の傾斜スイッチが求められていた。
また、暖房機器等を水平に設置するための水準器は傾斜スイッチとは別の位置に設けられており、取付けスペースが必要なだけでなくコスト高にもなっていた。
本発明はこうした課題を解決するために発明されたものである。
【０００４】
【課題を解決するための手段】
本発明は上記の問題点を解決するために、密閉容器内に一定量の液体と該液体より比重の小さな浮き部材を配設して密閉封止することにより少量の気泡を形成し、該浮き部材を前記密閉容器の略中間部に保持する仕切部を前記浮き部材が水平時に中央に保持されるように設けるとともに、前記浮き部材の移動を検知する検出手段を配設し、前記仕切部に前記気泡の通過孔を設けて前記浮き部材と前記気泡を分離する。
そして、前記密閉容器の上部を透明または半透明部材にて形成し、しかも前記密閉容器内上面部に基準マークを表示し、該基準マークと前記気泡とから成る水準器を併設する。
【０００５】
【発明の実施の形態】
本発明の傾斜スイッチは水平状態における微振動などによる誤動作を防止することができる。また、機器の水平設置を確認するための水準器の機能を併せ持つことができるため、省スペース化とコストの削減ができる。
【０００６】
【実施例】
以下、本実施例について図面を参照しながら説明する。
図１は本発明の傾斜スイッチの実施例を表す正面断面図であり、図２はその要部分解斜視図、図３は傾斜状態を表す断面図である。
これらの図において、透明部材で形成された中空のカバー２１は、上面に基準マーク２２を表示するとともに後述する気泡３３が水平状態で中央に位置するようにカバー２１の内部上面を球面状に形成している。
【０００７】
そして液体３２と、浮き部材として液体３２よりも比重の小さな球体２６、及び僅かな気泡３３が中央に孔部２５を穿設した基台２３とこの孔部２５を封止する透明部材の止栓２９により密閉されている。
【０００８】
この封止工程はカバー２１の中空部を上方に向け、仕切板２４と球体２６を収納の後、基台２３を超音波により溶接し、さらに基台２３の孔部２５から液体３２を一定量注入し、止栓２９を超音波溶接することにより完了する。この工程で内部に注入する液量は、液体３２が基台２３の孔部２５や止栓２９の溶接部に付着することによって密閉性が低下したり、液体３２を充満するために溢れ出た液体３２の処理が必要となるため、密閉空間より僅かに少量の液体３２を注入することにより気泡３３を発生させている。
【０００９】
この密閉した半製頭部はカバー２１を上方側に反転させると、液体３２に比べ比重の小さな球体２６は液体３２内を上昇して仕切板２４により略中間部で浮上を制限され、気泡３３は仕切板２４の孔２８をすり抜けてさらにカバー２１上面に達し基準マーク２２と透明部材のカバー２１を透して見える気泡３３とから成る水準器を構成する。
【００１０】
一方、ベース２７の内底面部はフォトインタラプタ３０を収納し、傾斜スイッチ本体から端子３１を垂下しており、前記半製頭部を上記ベース２７に凹凸係合して本発明の傾斜スイッチが完成する。
【００１１】
以上のように構成された傾斜スイッチは、図１の正立状態にある場合、球体２６は仕切板２４の中央に浮上しているため、フォトインタラプタ３０の光路を球体表面で反射してフォトインタラプタ３０をオン状態に維持し、図３の状態に傾くと球体２６が液体中を仕切板２４に沿って移動しフォトインタラプタ３０の光路を遮蔽しないことによりフォトインタラプタ３０をオフに切換えるよう作用する。
【００１２】
図５は実施例の仕切板２４が無い状態の参考断面図である。球体４６は気泡５３の浮力と表面張力に影響されるため正立状態で中央に位置することが困難であり、傾斜スイッチの機能が不十分なものとなる。このため気泡５３の混入が許されないため液体５２の密閉工程が極めて困難なものとなる。
【００１３】
実施例において仕切板２４を設けて該仕切板２４に気泡３３だけが通過する孔２８を穿設したので、球体２６と気泡３３を完全に分離することができるため液体３２の密閉工程を容易にするとともに、水準器の機能を併設することができる。
なお仕切板２４は網状部材にて形成することも可能であり、さらに球体２６は仕切板ではなく連結した糸によって制止することもできる。
【００１４】
【発明の効果】
以上、詳細に説明したように、本発明によれば、次のような効果を奏することができる。
（１）一定量の液体を充填して球体とともに密閉封止したので、球体の動きが緩慢に規制されるため、不用意な誤動作を防止することができる。
（２）カバー部材を透明または半透明部材にて形成するとともに一定量の液体を充填して密閉封止することにより気泡を形成し、しかもカバー部材上面部に基準マークを表示したので、機器の設置時の傾きを補正するための水準器と機器の傾斜や振動を検知して電力を遮断する傾斜スイッチの機能を同一部品に集約することができるため、部品費の削減と省スペース化を図ることができる。
（３）一定量の液体を充填して密閉封止することにより気泡を形成しているので、液体を一杯に充満させる場合に比べて生産工程が極めて容易になるとともに密閉性能を向上させることができる。
（４）上部を透明または半透明部材にて形成した密閉容器内に一定量の液体を充填するとともに該液体より比重の小さな浮き部材を密閉封止することにより少量の気泡を形成し、該浮き部材を密閉容器略中間部に保持する仕切部を浮き部材が水平時に中央に保持されるように設け、仕切部に気泡の通過孔を設けて浮き部材から気泡を分離することにより、気泡の張力による浮き部材への悪影響を完全に除去することができる。
（５）密閉容器内上面部に基準マークを表示したので生産工程で混入する気泡を水準器として有効利用することができる。
【図面の簡単な説明】
【図１】  本発明の傾斜スイッチの実施例を表す正面断面図である。
【図２】  本発明の傾斜スイッチの実施例を表す要部分解斜視図である。
【図３】  本発明の傾斜スイッチの実施例の傾斜状態を表す断面図である。
【図４】  本発明の傾斜スイッチの実施例の使用状態を表す外観図である。
【図５】  仕切板の無い傾斜スイッチを表す参考断面図である。
【図６】  従来の傾斜スイッチと水準器の併用を表す断面図である。
【符号の説明】
２１、４１、６１、８１    カバー
２２、４２    基準マーク
２３、４３、６３、８３    基台
２５    孔部
２６、４６、６６    球体
２７、４７    ベース
２９、４９    止栓
３０、５０、７０    フォトインタラプタ
３１、５１    端子
３２、５２、９２    液体
３３、５３、９３    気泡
２４    仕切板
２８    孔
【図１】
0004144678.tif 000002
【図２】
0004144678.tif 000003
【図３】
0004144678.tif 000004
【図４】
0004144678.tif 000005
【図５】
0004144678.tif 000006
【図６】
0004144678.tif 000007